(57)【要約】【課題】正確な同芯流を形成できると共に、高いメンテナンス性や所望のアスペクト比を容易に得ることができ、しかも特殊な加工技術を必要とせず機械加工で製作できるので、製作が容易であり製作コストが安価な流体デバイスを提供することができる。【解決手段】流体デバイス１２を構成する同芯整流部２４は、大径円管３０内に、多数本の同径な正六角形な六角管３２が密集して収納されたハニカム構造であって、多数本の六角管３２のうち１本が大径円管３０の中心軸Ｐと同軸上に配置された構造に形成される。【選択図】  図４
2007098222.tif 000002
【特許請求の範囲】
【請求項１】
供給された複数の流体を同芯流が形成されるように整流する同芯整流部と、該同芯整流部から流出した同芯流を所望の処理を目的として流通させる流体流通部とを備えた流体デバイスにおいて、
前記同芯整流部は、大径円管内に、多数本の同径な正六角形の六角管が密集して収納されたハニカム構造であって、前記多数本の六角管のうち１本が前記大径円管の中心軸と同軸上に配置された構造であることを特徴とする流体デバイス。
【請求項２】
前記大径円管の内径は、流体流通部において層流の同芯流を形成できる寸法に設定されていることを特徴とする請求項１の流体デバイス。
【請求項３】
前記大径円管の中心軸と同軸上に配置された六角管の長さが他の六角管の長さと異なることを特徴とする請求項１又は２の流体デバイス。
【請求項４】
前記同芯整流部は前記流体流通部を形成する外殻管内の入口に着脱自在に嵌合されていることを特徴とする請求項１〜３のいずれか１の流体デバイス。
【請求項５】
前記流体流通部を形成する前記外殻管内の出口には、前記流体流通部を流れる流体を同芯流として分離する同芯流分離部が着脱自在に嵌合されていることを特徴とする請求項１〜４のいずれか１の流体デバイス。
【請求項６】
前記同芯整流部及び前記同芯分離部は、前記流体流通部を形成する外郭管内に、該外郭管の軸方向に移動自在に嵌合されていることを特徴とする請求項５の流体デバイス。
【請求項７】
前記外殻管は軸方向に沿って２分割可能であることを特徴とする請求項４〜６のいずれか１の流体デバイス。
【請求項８】
前記同芯整流部と前記同芯分離部との中心軸同士を貫通する貫通管が設けられていることを特徴とする請求項５〜７のいずれか１の流体デバイス。
【発明の詳細な説明】
【技術分野】
【０００１】
本発明は、流体デバイスに係り、特に、供給された複数の流体を流体流通部に流出する際に、同芯流を正確に形成できる同芯整流部を備えた流体デバイスに関する。
【背景技術】
【０００２】
近年、化学工業、或いは医薬品・試薬等の製造を行う医薬品工業等の分野において、１本の流路に複数の流体を流して反応をさせることで化学物質を製造する技術が脚光をあびており、その代表例としてマイクロリアクター等の流体デバイスがある。流体デバイスは、微小な流路断面を有する流路に複数の流体を層流状態で流通させながら反応させることで反応生成物である化学物質を連続製造する技術である。この方法は、攪拌タンク等を用いたバッチ式の反応とは異なり、微小空間である流路内を連続的に流れる流体の界面において流体中の反応分子同士が出会うことによって反応が起こるため、反応効率が著しく向上すると共に、微細粒子で単分散性に優れた化学物質を製造することができる。
【０００３】
流体デバイスの一形態としては、複数の流体を同芯流状態で流路に流通させる同芯流タイプがあり、この同芯流タイプの流体デバイスは反応生成物の流路壁面への付着防止に有用である。
【０００４】
同芯流タイプの流体デバイスとしては、例えば特許文献１や特許文献２がある。
【０００５】
特許文献１には、反応流路への導入流路を、３重管構造とした流体デバイスが開示され、３重管はその基端部において支持されている。そして、３重管構造の最内側を流れる流体と最外側を流れる流体に相互に反応する流体を用い、この２つの流体の間に不活性な流体を流すことで、導入流路の流出口に反応による生成物が付着しにくくなるようにしている。
【０００６】
また、特許文献２は、それぞれ円板状の形態の供給プレート、合流プレート、排出プレートで構成された同芯流を形成するための流体デバイスが開示されている。この流体デバイスは上述の各プレートに分解できることから、生成物の付着等による流路不良が発生しても分解して簡単に洗浄することができる。また、分解した後で再び組み立てる場合でも、各プレートは位置決めピン又はインロー構造により互いに位置決めできるようになっている。
【特許文献１】特開２００２−２９２２７４号公報
【特許文献２】特開２００３−１６４７４５号公報
【発明の開示】
【発明が解決しようとする課題】
【０００７】
しかしながら、特許文献１のように、導入流路の流出口反対側の基端部において内管を外管に支持する構造では、内管を支持する部分が少なく、内管と外管との中心軸を一致させるための位置決め精度を出しにくいという欠点がある。内管と外管との中心軸を一致させる位置決め精度が悪いと、正確な同芯流を形成することができない。この結果、同芯流に乱れが生じるために、反応流路において層流の同芯流を精度良く得ることができず、流体同士の界面における拡散が不均一になる。これにより、均等な拡散が行われないので、生成される化学物質の純度が悪くなったり、歩留りが悪くなったりするという問題がある。  
【０００８】
特許文献２の場合には、特許文献１に比べて正確な同芯流を形成し易いが、機械加工での形成が容易でなく、特殊な加工方法、例えば微細放電加工等を必要とする。これにより、流体デバイスの製作が容易でないという共に製作コストが高くなるという問題がある。また、円板状の各プレートの厚みに制限があるため、高アスペクト比（流路長／等価直径）の流体デバイスを作成するには、複数枚のプレートの積層が必要であり、積層数が多くなると組み付ける際の位置精度が低下するので、正確な同芯流が得られにくくなる。
【０００９】
同芯流が正確に形成できない場合の問題は、上記した化学反応のように反応操作を行う場合に限ったものではなく、流路により流体の単位操作（例えば混合、抽出、分離、加熱、冷却、熱交換、晶析、吸収）を行う装置も同様である。
【００１０】
本発明は、このような事情に鑑みてなされたもので、正確な同芯流を形成できると共に、高いメンテナンス性や所望のアスペクト比を容易に得ることができ、しかも特殊な加工技術を必要とせず機械加工で製作できるので、製作が容易であり製作コストが安価な流体デバイスを提供することを目的とする。
【課題を解決するための手段】
【００１１】
請求項１の発明は前記目的を達成するために、供給された複数の流体を同芯流が形成されるように整流する同芯整流部と、該同芯整流部から流出した同芯流を所望の処理を目的として流通させる流体流通部とを備えた流体デバイスにおいて、前記同芯整流部は、大径円管内に、多数本の同径な正六角形な六角管が密集して収納されたハニカム構造であって、前記多数本の六角管のうち１本が前記大径円管の中心軸と同軸上に配置された構造であることを特徴とする流体デバイスを提供する。
【００１２】
本発明の請求項１は、ハニカム構造の性質を利用して、同芯流を正確に形成できる同芯整流部の構造を示したものである。
【００１３】
本発明の請求項１によれば、大径円管内に、多数本の同径な正六角形の六角管が密集して収納されたハニカム構造であって、多数本の六角管のうち１本が大径円管の中心軸と同軸上に配置されるようにしたので、大径円管の中心軸と同軸上に配置される六角管の外側に残りの六角管を六角環状に配列した六角管環状群が少なくとも１層以上積層されることになる。即ち、中心軸に位置する六角管の中心と、六角管環状群を構成する各六角管の中心を結ぶ仮想六角形の中心とは一致する。これにより、中心軸に位置する六角管と六角管環状群は同じ中心軸上に配置されることになるので、中心軸の六角管内と六角管環状群にそれぞれ種類の異なる流体を供給すれば、正確な同芯流を流体流通部に流出させることができる。六角管の六角形状は、円管等の他の管の形状と比較して、管同士が接触していない領域であるデッドスペースが小さいと共に、管同士の位置決めが一義的に決まる特徴を有する。尚、大径円管内と六角管とは固定しても固定しなくてもよい。固定する方法としては、接着剤、拡散接合、嵌合等の固定手段を利用することができる。
【００１４】
請求項２は請求項１において、前記大径円管の内径は、流体流通部において層流の同芯流を形成できる寸法に設定されていることを特徴とする。
【００１５】
これは、同芯流を正確に形成できる本発明は、層流において一層効果を発揮するからである。流体の流速、粘度等により大径円管の内径は多少変化するが、１０ｍｍ以下が好ましく、１ｍｍ以下がより好ましい。
【００１６】
請求項３は請求項１又は２において、前記大径円管の中心軸と同軸上に配置された六角管の長さが他の六角管の長さと異なることを特徴とする。
【００１７】
これは、中心軸上に位置する六角管と、六角管環状群との流出口の位置が互いにズレている方が、流れが安定し、安定した同芯流を形成し易いためである。
【００１８】
請求項４は請求項１〜３の何れか１において、前記同芯整流部は前記流体流通部を形成する外殻管内の入口に着脱自在に嵌合されていることを特徴とする。
【００１９】
請求項４によれば、同芯整流部は流体流通部を形成する外殻管内の入口に着脱自在に嵌合されているので、同芯整流部に流通不良が発生した場合には、外郭管から取り外して簡単に洗浄することができる。これにより、高いメンテナス性を得ることができる。更には、流体数に合わせて簡単に同芯整流部を交換することができ、便利である。
【００２０】
請求項５は請求項１〜４のいずれか１において、前記流体流通部を形成する前記外殻管内の出口には、前記流体流通部を流れる流体を同芯流として分離する同芯流分離部が着脱自在に嵌合されていることを特徴とする。
【００２１】
請求項５によれば、同芯整流部と同芯分離部との中心軸を一致させることができるので、流体流通部を流れる流体を同芯分離部で同芯流に分離する場合、同芯整流部と同じ中心軸基準で同芯流を分離することができる。即ち、同芯整流部によって例えば正確な３層同芯流を流体流通部に流通させ、３層同芯流の中間層部分に生成物が生成された場合に、生成物を分離する際に同芯分離部の中心軸が同芯整流部の中心軸とズレていたのでは、中間層部分のみを精度良く分離することはできない。請求項５では、同芯整流部と同芯分離部との中心軸を一致させることができるので、中間層部分のみを精度良く分離することができる。この場合、同芯整流部で形成可能な同芯流の層数と、同芯分離部で分離可能な同芯流の層数を異なるようにしてもよい。例えば、同芯整流部で２流体により２層同芯流を形成したが、同芯分離部では３層の同芯流として分離したい場合には、同芯分離部として３層分離可能な構造のものを配置するとよい。更には、同芯分離部も外郭管に着脱自在に嵌合されていることが好ましく、流路不良等が発生したときに簡単に外郭管から取り外して洗浄することができる。
【００２２】
請求項６は請求項５において、前記同芯整流部及び前記同芯分離部は、前記流体流通部を形成する外郭管内に、該外郭管の軸方向に移動自在に嵌合されていることを特徴とする。
【００２３】
請求項６によれば、同芯整流部及び同芯分離部は、流体流通部を形成する管内に移動自在に嵌合されているので、反応の種類等に応じて流体流通部の流路長を簡単に変えることができる。
【００２４】
請求項７は請求項４〜６のいずれか１において、前記外殻管は軸方向に沿って２分割可能であることを特徴とする。
【００２５】
請求項７によれば、外殻管は軸方向に２分割可能であるようにしたので、同芯整流部や同芯分離部を外郭管に対して簡単に着脱することができる。
【００２６】
請求項８は請求項５〜７の何れか１において、前記同芯整流部と前記同芯分離部との中心軸同士を貫通する貫通管が設けられていることを特徴とする。
【００２７】
請求項８によれば、同芯整流部と同芯分離部との中心軸同士を貫通する貫通管を設け
たので、中心軸上の六角管により形成される流体の厚みを薄くすることができるので、拡散効率が良くなる。また、貫通管を設けることで流体流通部に同芯流を形成し易くなる。
【発明の効果】
【００２８】
以上説明したように、本発明の流体デバイスによれば、正確な同芯流を形成できると共に、高いメンテナンス性や所望のアスペクト比を容易に得ることのでき、しかも特殊な加工技術を必要とせず機械加工で製作できるので、製作が容易であり製作コストが安価な流体デバイスを提供できる。
【発明を実施するための最良の形態】
【００２９】
以下添付図面に従って本発明に係る流体デバイスの好ましい実施の形態について詳説する。
【００３０】
図１は、本発明の流体デバイスを複数本（図１では５本）１組としてユニット化した流体デバイスユニットの全体構成を説明する分解図である。尚、図１で使用する流体デバイスは２種類の流体Ｌ１，Ｌ２で２層同芯流を形成するタイプの例である。
【００３１】
図１に示すように、流体デバイスユニット１０は、主として、複数本の流体デバイス１２、１２…を支持する四角形状な支持ケース１４と、支持ケース１４の上側開口１４Ａと下側開口１４Ｂとに蓋をする一対の蓋板１６，１６と、支持ケース１４の前側（流体デバイス１２の流体供給側）に組み付けられ、２種類の流体Ｌ１，Ｌ２を複数本の流体デバイス１２に供給する供給ヘッダ１８と、支持ケース１４の後側（流体デバイス１２の流体排出側）に組み付けられ、複数本の流体デバイス１２から排出される処理流体を排出する排出ヘッダ２０と、で構成される。図１の矢印Ｆは流体Ｌ１，Ｌ２の流れ方向を示す。
【００３２】
図２に示すように、流体デバイス１２は、円筒状の外郭管２２の入口部内に同芯整流部２４が着脱自在に嵌合される共に、出口部内に同芯分離部２６が着脱自在に嵌合される。これにより、同芯整流部２４と同芯分離部２６との間の外郭管２２内に、同芯整流部２４から流出した同芯流を所望の処理を目的として流通させる流体流通部２８が形成される。
【００３３】
このように、外郭管２２に対して同芯整流部２４及び同芯分離部２６を着脱自在に嵌合することで、同芯整流部２４や同芯分離部２６に流路不良が発生したときに、外郭管２２から簡単に取り外して洗浄することができる。また、同芯整流部２４や同芯分離部２６を外郭管２２から取り外せることで、外郭管２２の洗浄も容易になる。これにより、高いメンテナンス性を得ることができる。尚、同芯整流部２４や同芯分離部２６は、必ず着脱自在に限定するものではなく、着脱する必要がない場合には接着剤で固定してもよい。
【００３４】
ここで、所望の処理とは、流体同士が反応する反応操作、及び流体の単位操作（例えば混合、抽出、分離、加熱、冷却、熱交換、晶析、吸収）を意味する。尚、流体流通部２８に同芯整流部２４と同芯分離部２６とを１対設けることに限定されるものではなく、同芯整流部２４と同芯分離部２６の一対を複数個設けて、整流と分離を多段で行ってもよい。
【００３５】
同芯整流部２４及び同芯分離部２６は、同様の構造に形成され、大径円管３０内に、多数本の同径な正六角形の六角管３２が密集して収納されたハニカム構造であって、多数本の六角管３２のうち１本が大径円管３０の中心軸Ｐと同軸上に配置される。そして、大径円管３０の中心に位置する六角管３２（以下、中心六角管３２Ａという）には連結用供給管３８が接続されると共に、同芯分離部２６の中心に位置する中心小径円管３２Ａに連結用排出管４０が接続される。図２は、かかる構造に形成された流体デバイス１２において、同芯整流部２４の中心六角管３２Ａ内に流体Ｌ１を供給し、六角管環状群３４に流体Ｌ２を供給する場合である。
【００３６】
また、図３に示すように、外郭管２２を２分割可能な構造として、同芯整流部２４や同芯分離部２６を外郭管２２に着脱する際に、外郭管２２を２分割できると更にメンテナンスにおいて便利である。即ち、外郭管２２分割した一方の半円片２２Ａと他方の半円片２２Ｂとの嵌合部にそれぞれ凸部２２ａと凹部２２ｂとを形成し、凸部２２ａと凹部２２ｂとを嵌め合わせるようにするとよい。嵌合して外郭管２２を形成した後、外郭管２２の長さ方向における前後位置をリング状の固定部材２９で固定するとよい。しかし嵌め合わせ構造及び固定部材は、これに限定するものではなく、要は外郭管２２から流体が漏洩しない構造であればよい。
【００３７】
図１に示す支持ケース１４の前側面と後側面にはそれぞれ、流体デバイス１２の数に対応する複数個の丸孔４４が開口されており、この丸孔４４に流体デバイス１２の前後部分が嵌合する。これにより、複数本の流体デバイス１２が支持ケース１４の前側面と後側面から部分的に突出した状態で、支持ケース１４に支持される。この状態で、一対の蓋板１６がパッキン１７を介して支持ケース１４の上側開口１４Ａと下側開口１４Ｂに被せられてボルト４６で締結される。また、支持ケース１４の前側と後側に供給ヘッダ１８と排出ヘッダ２０とがパッキン１９を介して被せられ、ボルト４８により接続される。これにより、支持ケース１４内に水密な密封空間が形成される。
【００３８】
供給ヘッダ１８は、支持ケース１４側の面が開放された箱形状をしており、支持ケース１４の反対面には、前述した連結用供給管３８が貫通する丸孔５０が流体デバイス１２の数に対応して複数個開口されている。この丸孔５０から連結用供給管３８が突出され、連結用供給管３８に第１カプラー（ワンタッチジョイント）の雄部材５２が接続される。そして、流体Ｌ１を供給する流体ポンプ（図示せず）から延設された供給チューブ（図示せず）先端に設けられた第１カプラーの雌部材（図示せず）を連結することで、同芯整流部２４の中心に位置する小径円管３２に流体Ｌ１が供給される。また、供給ヘッダ１８の側面に形成された丸孔５４には、第２カプラーの雄部材５６が接続され、流体Ｌ２を供給する流体ポンプ（図示せず）から延設された供給チューブ（図示せず）先端に設けられた第２カプラーの雌部材（図示せず）を連結することで、供給ヘッダ１８内を介して同芯整流部２４の環状グループ管４２に流体Ｌ２が供給される。
【００３９】
排出ヘッダ２０は、その構造が供給ヘッダ１８と同様に形成される。即ち、排出ヘッダ２０は支持ケース１４側の面が開放された箱形状をしており、支持ケース１４の反対面には、上述した連結用排出管４０が貫通する丸孔５８が流体デバイス１２の数に対応して複数個開口されている。この丸孔５８から連結用排出管４０が突出され、連結用排出管４０に第３カプラーの雄部材６０が接続される。そして、排出チューブ（図示せず）の先端に設けた第３カプラーの雌部材（図示せず）が連結される。これにより、流体流通部２８を流通して化学反応等の所望の処理が成された処理流体は同芯分離部２６において同芯流として分離され、分離された同芯流のうちの内層を形成する流体Ｌ３が排出される。また、排出ヘッダ２０の側面に形成された丸孔６２には、第４カプラーの雄部材６４が接続され、排出チューブ（図示せず）の先端に設けた第４カプラーの雌部材（図示せず）を連結することで、同芯分離部２６で同芯流として分離された外層の流体Ｌ４が排出ヘッダ２０内を介して排出される。
【００４０】
また、上述した水密性を有する支持ケース１４の側面２カ所に丸孔６６が形成され、一方の丸孔６６に第５カプラーの雄部材６８が設けられると共に、他方の丸孔６６に第６カプラーの雄部材６８が設けられる。そして、図示しない熱媒体循環装置からの一対のチューブ（図示せず）先端にそれぞれ取り付けられた第５カプラー及び第６カプラーの雌部材（図示せず）が雄部材６８接続される。これにより、所定温度の熱媒体を支持ケース１４内と媒体循環装置との間で循環して、流体デバイス１２を温調するための温調用循環ラインが形成される。
【００４１】
上記の如く構成された流体デバイスユニット１０において、流体デバイス１２の同芯整流部２４は、大径円管３０内に、多数本の同径で正六角形の六角管３２が密集して収納されたハニカム構造であって、多数本の六角管３２のうち中心六角管３２Ａが大径円管３０の中心軸Ｐと同軸上に配置される構造に形成されている。これにより、図４に示すように、中心六角管３２Ａの外側に残りの六角管３２を六角環状に配列した六角管環状群３４が１層積層されることになる。即ち、中心六角管３２Ａの中心と、六角管環状群３４を構成する各六角管３２の中心を結ぶ仮想六角形３３（仮想六角形３３により集合される六角管３２の集合体を六角管環状群３４と称することにする）の中心とは一致するので、中心六角管３２Ａと六角管環状群３４は同じ中心軸Ｐ上に配置されることになる。しかも、同芯整流部２４の長さ方向（軸方向）の何れの位置で同芯整流部２４を径方向に切断しても、その断面における中心六角管３２Ａと六角管環状群３４の中心軸Ｐとは一致する。このように、同芯整流部２４の長さ方向の何れの位置でも中心六角管３２Ａと六角管環状群３４の中心軸Ｐとを一致させることで、円筒形な外郭管２２内に形成される流体流通部２８には、図５に示すように、流体Ｌ１（内層）と流体Ｌ２（外層）とから成る正確な円形状の２層同芯流を形成することができる。この場合、図６のように、同芯整流部２４と同芯分離部２６との中心軸Ｐ上に、同芯整流部２４と同芯分離部２６とをつなぐ貫通管７２を設けると、流体Ｌ１（内層）の厚みを薄くできるので、流体Ｌ１（内層）と流体Ｌ２（外層）との間の拡散効率が良くなる。
【００４２】
正確な同芯流を形成するには、同芯整流部２４の長さ方向の何れの位置で切断しても、中心六角管３２Ａと六角管環状群３４との同芯度（互いの中心軸Ｐのズレ量）が１００μｍ以内であることが好ましく、５０μｍ以内がより、１０μｍ以内が特に好ましい。前記同芯度は、正六角形の精度の高い六角管を使用して同芯整流部２４を上記した構造に形成することで達成できる。これにより、流体流通部２８を流れる同芯流に乱れが発生しないので、層流の同芯流を精度良く得ることができる。従って、流体Ｌ１、Ｌ２同士の界面における拡散が均一に行われるので、例えば化学反応操作の場合には生成される化学物質の純度や歩留りが向上する。
【００４３】
また、同芯整流部２４と同様の構造を有する同芯分離部２６を外郭管２２の出口部内に設けることで、流体流通部２８を流れる流体を同芯流として分離することができる。この場合に、同芯整流部と２４同芯分離部２６との中心軸Ｐを一致させることができるので、流体流通部２８を流れる流体を同芯分離部２６で同芯流に分離する際に、同芯整流部２４と同じ中心軸基準で分離することができる。即ち、同芯整流部２４によって例えば正確な３層同芯流を流体流通部２８に流通させ、３層同芯流の中間層部分に生成物が生成された場合に、生成物を分離する際に同芯分離部２６の中心軸Ｐが同芯整流部２４の中心軸Ｐに対してズレがあると、中間層部分のみを精度良く分離することはできない。しかし、本発明のように、同芯整流部２４と同芯分離部２６との中心軸Ｐを一致させることができるので、中間層部分を精度良く分離することができる。これは、３層同芯流の内層や外層を精度良く分離したい場合も同様であり、多層同芯流に適用できる。この場合、図７に示すように、同芯整流部２４と同芯分離部２６において、中心六角管３２Ａと六角管環状群３４との流出口の位置をズラして流体流通部２８側に突出させるようにすると、流れが安定化し、安定した同芯流を形成できる。また、同芯分離部２６での分離性能も向上する。
【００４４】
尚、図７では、中心六角管３２Ａを流体流通部２８側に突出させるようにしたが、逆に六角管環状群３４の流出口位置より凹ますようにしてもよい。更には、同芯整流部２４では中心六角管３２Ａを突出させ、同芯分離部２６では中心六角管３２Ａを凹ましてもよく、あるいは同芯分離部４では中心六角管３２Ａを凹ませ、同芯分離部２６では中心六角管３２Ａを突出させてもよい。
【００４５】
上述した本発明における同芯整流部２４と同芯分離部２６との特徴は、化学反応に限らず、流体の単位操作（例えば混合、抽出、分離、加熱、冷却、熱交換、晶析、吸収）を行う際にも適用できる。また、上述の同芯整流部４は２層同芯流を形成するタイプであるが、多層同芯流を形成する場合も考え方は同じである。
【００４６】
次に、図８〜図１０において、同芯整流部２４の好ましい各種の態様を説明するが、同芯分離部２６として使用してもよい。
【００４７】
図８の同芯整流部２４は、既に図７で説明したように同芯整流部２４の中心六角管３２Ａと六角管環状群３４との流出口位置をズラして、中心六角管３２Ａを流体流通部２８側に突出させた態様であり、図９は中心六角管３２Ａの流出口を六角管環状群３４の流出口の位置から凹ませた態様である。
【００４８】
図１０の同芯整流部２４は、３種類の流体（Ｌ１、Ｌ２、Ｌ３）により３層同芯流を形成するのに好適な態様であり、大径円管３０内に、多数本の同径な正六角形の六角管３２が密集して収納されたハニカム構造であって、中心六角管３２Ａの外側に第１六角管環状群３４Ａと第２六角管環状群３４Ｂとの２層が積層された構造である。これにより、中心六角管３２Ａ内に流体Ｌ１を供給し、第１六角管環状群３４Ａに流体Ｌ２を供給し、第２六角管環状群３４Ｂに流体Ｌ３を供給すれば、正確な３層同芯流を流体流通部２８に流出させることができる。尚、同芯流を形成する層数に応じて六角管環状群３４の積層数を適宜設定することができる。また、図１０は、３種類の流体Ｌ１，Ｌ２，Ｌ３の３層同芯流を形成するのに好適な態様であるが、３種類の流体に限定するものではなく、２種類の流体の同芯流を形成する場合にも適用できる。即ち、上記した３流体Ｌ１，Ｌ２，Ｌ３のうち、流体Ｌ１と流体Ｌ２に同じ種類の流体を使用することで２層同芯流としてもよく、流体Ｌ２と流体Ｌ３に同じ種類の流体を使用することで２層同芯流を形成してもよい。これにより、２層同芯流を構成する際の各層の厚みを変えることができる。
【００４９】
尚、同芯整流部２４と同芯分離部２６とは同じ構造である必要はなく、同芯流を形成する場合、図４と図１０で説明した構造のもの、更には六角管環状群３４を３層以上積層させたものを任意に組み合わせることができる。
【００５０】
次に、図２の２層同芯流を形成する流体デバイス１２の例で、流体デバイス１２を製作する工程について説明する。図１１（Ａ）〜図１１（Ｃ）は同芯整流部２４及び同芯整流部２６を製作する工程であり、図１１（Ｄ）は製作した同芯整流部２４と同芯分離部２６とを流体流通部２８を形成する外郭管２２に組み付けた図である。尚、同芯整流部２４と同芯分離部２６とは、基本的に構造が同じあり、同じ製作方法で製作するので、ここでは同芯整流部２４を製作する例で説明する。
【００５１】
同芯整流部２４の製作は、主として、原形体製作工程と、伸長工程と、切断工程とで構成される。
【００５２】
原形体製作工程では、図１１（Ａ）に示すように、大径円管３０内に、多数本の同径で正六角形の六角管３２が密集して収納されたハニカム構造であって、多数本の六角管３２のうち中心六角管３２Ａが大径円管３０の中心軸Ｐと同軸上に配置される構造の原形体９０を製作する。この原形体９０は、同芯整流部２４の最終的に必要な径よりも大径に予め製作する。かかる構造の原形体９０は、図１１（Ａ）から分かるように、大径円管３０内に六角管３２がハニカム構造に密に収納されており、しかも大径円管９０の中心軸を中心として中心六角管３２Ａ及び六角管環状群３４が同芯上に配置されている。従って、次の伸長工程で伸長しても全体が細くなるだけで、径方向の断面形状は同じになる。原形体９０における大径円管３０の径としては、例えば１０ｍｍ〜５０ｍｍ程度の範囲であることが好ましい。管の材質としては金属（例えばスレンレス材）、樹脂、ガラス等を好適に使用できる。
【００５３】
次に、伸長工程では、図１１（Ｂ）に示すように、製作した原形体９０を長手方向に伸長して最終的に必要な径寸法になるように原形体９０の断面積を縮小する。この場合、使用する管の材質、例えばステンレス材、樹脂材、ガラス材等により、原形体９０を伸長し易い温度に加熱しておくとよい。これにより、伸長原形体９０‘を製作する。この伸長原形体９０‘の径としては、流体流通部２８において層流の同芯流を形成できる径寸法であることが好ましく、伸長後の大径円管３０‘において１０ｍｍ以下が好ましく、１ｍｍ以下がより好ましい。
【００５４】
次に、切断工程では、図１１（Ｃ）に示すように、伸長原形体９０‘を同芯整流部２４の必要長さに切断する。これにより、同芯整流部２４が製作される。同芯整流部２４は複数製作されるので、その中の一つを同芯分離部２６として使用してもよく、上述した図１０や３層以上の六角管環状群３４を別途製作して使用してもよい。
【００５５】
そして、図１１（Ｄ）に示すように、製作した同芯整流部２４を、外郭管２２の入口部内に着脱自在に嵌合すると共に、外郭管２２の出口部内に同芯分離部２６を着脱自在に嵌合する。これにより、流体デバイス１２が製作される。
【００５６】
これにより、径が１０ｍｍ以下のマイクロな同芯整流部２４や同芯流２６であっても、機械加工により容易に製作することができ、特殊な加工方法、例えば微細放電加工等を必要としない。従って、マイクロな流路を有する流体デバイス１２を容易且つ低コストで製作することができる。また、原形体９０を伸長工程で伸長する伸長率を変えることによって、同芯整流部２４や同芯分離部２６の径寸法を簡単に変えることができる。更には、高アスペクト比（流路長／等価直径）の流体デバイス１２を作成する場合には、伸長工程での伸長率と切断工程で切断する切断長さを調整することで容易に対応することができる。
【００５７】
尚、本実施の形態では、六角管を使用して大径円管内にハニカム構造を形成することで記載したが、本発明の応用例として大径円管内にハニカム構造を一体構造として形成することによっても、正確な同芯流を形成するための同芯整流部を形成できる。  
【実施例】
【００５８】
次に、３種類の流体Ｌ１（内層）、Ｌ２（中間層）、Ｌ３（外層）で３層同芯流を形成する例で本発明の実施例を説明する。流体デバイス１２は、流体流通部２８を形成する外郭管２２の入口部内と出口部内とに、図１０に示した構造の同芯整流部２４と同芯分離部２６とをそれぞれ嵌合させたものを使用した。同芯整流部２４と同芯分離部２６は、上記製作方法により製作し、切断工程では伸長した伸長原形体９０‘を長さ５ｍｍに切断した。製作された同芯整流部２４及び同芯分離部２６は、外径２．５ｍｍ、内径２．０ｍｍの大径円管３０内に、中心六角管３２Ａ、第１六角管環状群３４、及び第２六角管環状群３４から成るハニカム構造を密に形成した。大径円管３０及び六角管３２ともに管の材質はＳＵＳ３１６を使用した。
【００５９】
製作された同芯整流部２４と同芯分離部２６について特に精密位置決めすることなく、長さ方向の複数箇所で切断して、中心六角管３２Ａと第１六角管環状群３４と第２六角管環状群３４との同芯度（互いの中心軸Ｐのズレ量）を測定したところ、７μｍ以内であった。
【００６０】
そして、５本の流体デバイス１２を支持ケース１４に組み付け、流体デバイスユニット１０を完成させ、感光性乳剤を製造する試験を行った。
【００６１】
試験において、流体Ｌ１として硝酸銀水溶液、流体Ｌ２としてゼラチン水溶液、流体Ｌ３としてハロゲン塩水溶液を使用した。硝酸銀水溶液Ｌ１とハロゲン塩水溶液Ｌ３とは、体積換算で１：１の比で反応が完結する濃度に調整した。また、同芯整流部２４から流出して流体流通部２８を層流化された同芯流として流れる各流体Ｌ１、Ｌ２、Ｌ３において、硝酸銀水溶液Ｌ１とハロゲン塩水溶液Ｌ３とが、同じ流速且つ同じタイミングでゼラチン水溶液Ｌ２との反応を完結するように設定した。また各流体Ｌ１、Ｌ２、Ｌ３の粘度の影響や、流体流通部２８の内壁面との間に生じる剪断抵抗力等により、硝酸銀水溶液Ｌ１とハロゲン塩水溶液Ｌ３とに流速差が生じる場合には、濃度や流体を供給する圧力を調整してゼラチン水溶液Ｌ２での反応条件を最適化した。
【００６２】
このように実施された実施例によれば、同芯整流部２４により、各流体Ｌ１、Ｌ２、Ｌ３は正確な層流の３層同芯流として流体流通部２８に流出され、流体流通部２８を流れていく過程で、３層同芯流を構成する内層の硝酸銀水溶液Ｌ１と外層のハロゲン塩水溶液Ｌ３とが、中間層のゼラチン水溶液Ｌ２に拡散して反応し、反応物である感光性乳剤を生成した。同芯分離部２６では、内層、中間層、外層の３層を同芯流として分離し、中間層部分に高純度の感光性乳剤を得ることができた。
【００６３】
また、感光性乳剤を生成する際に、同芯整流部２４の流出口や流体流通部２８の内壁に生成された感光性乳剤が付着することがなく、安定した製造を行うことができた。
【００６４】
更には、本発明の３流体タイプの流体デバイス１２と、従来技術の特許文献２で説明した流体デバイスとの製作コスト比較では、本発明の流体デバイス１２は約１／２であることから、低コストで感光性乳剤を製造することができた。
【図面の簡単な説明】
【００６５】
【図１】本発明の流体デバイスを複数本組み付けた流体デバイスユニットの全体構成を説明する分解図
【図２】本発明の流体デバイスの一例であり、２層同芯流の形成に好適な流体デバイスの説明図
【図３】流体流通部を形成する外郭管を２分割構造にした説明図
【図４】同芯整流部を側方から見た側面図
【図５】同芯整流部により形成される２層同芯流を説明する説明図
【図６】同芯整流部と同芯分離部との中心軸を貫通する貫通管を設けた場合の流体流通部の断面図
【図７】流体デバイスの別の態様を説明する説明図
【図８】中心六角管と六角管環状群との流出口位置をズラした場合の説明図
【図９】中心六角管と六角管環状群との流出口位置をズラした別態様の説明図
【図１０】３層同芯流を形成するのに好適な同芯整流部を側方から見た側面図
【図１１】同芯整流部の製作方法を説明する説明図
【符号の説明】
【００６６】
１０…流体デバイスユニット、１２…流体デバイス、１４…支持ケース、１６…蓋板、１８…供給ヘッダ、２０…排出ヘッダ、２２…外郭管、２４…同芯整流部、２６…同芯分離部、２８…流体流通部、３０…大径円管、３２…六角管、３２Ａ…中心六角管、３４…六角管環状群、３８…連結用供給管、４０…連結用排出管、４４、５０、５４、５８、６２、６６…丸孔、４６、４８…ボルト、５２、５６、６０、６４、６８、７０…カプラーの雄部材、９０…原形体、９０‘…伸長原形体
【図１】
2007098222.tif 000003
【図２】
2007098222.tif 000004
【図３】
2007098222.tif 000005
【図４】
2007098222.tif 000006
【図５】
2007098222.tif 000007
【図６】
2007098222.tif 000008
【図７】
2007098222.tif 000009
【図８】
2007098222.tif 000010
【図９】
2007098222.tif 000011
【図１０】
2007098222.tif 000012
【図１１】
2007098222.tif 000013